(57)【要約】      （修正有）【課題】保冷用材入りシートを冷却して使用することで安全な食事が可能になり、又、食品シートが乾燥した状態の手巻きおにぎりを、保持することができるランチケースを提供する。【解決手段】保冷用材ｅ１を封入したシートＣを冷却して、直接、食材を巻くことで鮮度を保つ。又、前記シートを食品シートとご飯の間に介在させ、両者が接触しないようにすることで、前記食品シートに前記ご飯から出る水分の吸水を抑え、乾燥した食品シートを保持したままの、手巻きおにぎりを形成することができる。又、前記ご飯がこぼれ落ちるのを防ぐために、上部が開いている筒型容器に詰めて、両サイドにある袖面Ｄ〜Ｇ、Ｈ〜Ｋのシートで、巻いたり包んだりした筒型のランチケース。【選択図】図１
2020050438.tif 000002
【特許請求の範囲】
【請求項１】
海苔シートと食材との間にシートを介在させて、両者を接触させない部分を有することを特徴としたランチケース。
【請求項２】
保冷用剤を封入した前記シートを冷却して、直接、食材を巻いたり包んだりすることを特徴とした請求項１のいずれかに記載のランチケース。
【請求項３】
請求項２前記シートは、丸めたり、折り曲げたり、繰り返し洗って使用することを特徴とした請求項１又は２に記載のランチケース。
【請求項４】
筒型容器の中に前記食材などを詰めて、前記シートで巻いて筒型に形成することを特徴とした請求項請求項１〜３に記載のランチケース。
【請求項５】
前記請求項４筒型容器には、上部が開いている筒型容器又は、上部と片側の側面が開いている筒型容器２つを合わせて、１つに成形した筒型容器などを使用することを特徴とした請求項１〜４に記載のランチケース。
【請求項６】
前記請求項４又は５筒型容器と前記シートには、凸凹のプラッチックホック又は磁石ボタンを設けて、取り外しするが可能なことを特徴とした請求項１〜５に記載のランチケース。
【請求項７】
前記シートの表面に凸凹の溝など設けることで、食材から出る蒸気や水分を逃がし、前記食材が前記シートにくっつきにくくすることを特徴とした請求項１〜６に記載のランチケース。
【発明の詳細な説明】
【技術分野】
【０００１】  シート、例えば、丸めたり、折り曲げたり、繰り返し洗って使用することが可能なシリコン又はゴム製品に、保冷用剤を封入させたシートを成形します。前記シートを冷却させて直接、食材を巻いたり包んだりすることで、衛生面又は安全性の向上に繋がります。又食材、例えば、ご飯と海苔シートで手巻きおにぎりを形成する際に、前記ご飯と前記海苔シートとの間に前記シートを介在させて、両者を接触させない部分を有することで、乾燥した海苔シートを保持することができます。又、前記ご飯が前記シートからこぼれ落ちるのを防ぐために、筒型容器に前記ご飯を詰めて、前記シートで巻き込んで筒型のランチケースにします。又、シートに凸凹の溝を設けて接地面を少なくすることで、ご飯が前記シートにくっつきにくくしたり、ご飯から出る蒸気や水分を逃がしたりする構造になっています。
【背景技術】
【０００２】  例えば特開平０９−２６４６４８号公報に記載されているように、保管、輸送の際入れる保冷用材で折れ目があり、被保冷物を包む保冷シートを提供するもの、又は特開２００７−００１６５９号公報に記載されているように、空間内に保冷剤を封入した容器を提供するもの、又は実録３２１０９６７号公報に記載されているように多角断面に海苔とご飯をのせて、巻き寿司を成形後、そのまま、弁当箱として携帯可能な寿司成形器を提供するものです。
【先行技術文献】
【特許文献】
【０００３】
【特許文献１】特開平０９−２６４６４８号公報
【特許文献２】特開２００７−００１６５９号公報
【特許文献３】登録３２１０９６７号公報
【発明の開示】
【発明が解決しようとする課題】
【０００４】  しかし、上記特開平０９−２６４６４８号は、箱に入れて保管又は運ぶときに、折り目があることで、前記箱の大きさに左右されずに保冷シートを収納できることを提供しているもの、又上記特開２００７−００１６５９号は、容器の空間内に保冷用材を組み入れる、保冷式包装容器を提供しているもの、又は上記登録３２１０９６７号は、多角形断面のシートの上に、海苔とご飯を直接のせて巻き寿司に成形し、そのまま保管又は弁当箱として、携帯可能な寿司成形器を提供するものでありますが、本発明が解決しようとすることは、第一に食品シートが乾燥した状態を保つために、海苔シートとご飯の両者を接触させない部分を有するランチボックスの提供、第二に保冷用材を封入したシートを冷却して、直接、ご飯を巻いたり包み込んで鮮度を保つ目的のランチケースの提供、第三に前記ご飯がこぼれ落ちるのを防ぐために、筒型容器の中に詰めて、前記シートで巻いたり包んだりした、筒型のランチケースの提供を目的とします。
【課題を解決するための手段】
【０００５】    第一の目的の乾燥した海苔巻きおにぎりの状態で持ち運ぶためには、海苔シートに、ご飯から出る蒸気又は水分が吸収するのを抑える必要があります。そこで、前記シートを前記海苔シートと前記ご飯の間に介在させて、両者が接触しない部分を有することで、前記海苔シートが前記ご飯からでる水分の吸収を抑え、時間が経過してもパリッと乾燥した状態の海苔シートを巻いて、形成した手巻きおにぎりを食事することができます。
第二の目的を達成するために、保冷用材を封入したシートを冷却して、直接、食材を巻いたり包んだりすることで、時間が経過しても前記食材の鮮度を効率的に保ち、腐食してしまうことを軽減することができます。
第三の目的のご飯などがこぼれ落ちないようにするために、上部が開いている筒型容器又は、上部面と片側の側面が開いている筒型容器と、もう一つの上部面と片側の側面が開いている筒型容器と合わせて、１つに成形した何れか１つの筒型容器の中にご飯を詰めて、前記シートで巻きながら袖面に設けた凸凹のプラッチックホック又は磁石ボタンを留めランチケースに成形します。又、上部が開いている筒型容器は、前記シートから取り外しができることで、前記筒型容器に詰めたご飯の出し入れや、洗う作業が簡単に行える利点があります。
【発明を実施するための最良の形態】
【０００６】  図１本発明専用に使用するために加工したシートの上にカットしたシート（Ｌ）を図５のように置き、その（Ｌ）の上に、図６海苔シート（Ｍ）を置き、前記シート（Ａ）をａ２で折り曲げて、海苔シート（Ｍ）全体を覆いかぶせて図７のような形態にします。【０００７】  図２シートの間に保冷用材（ｅ１）を封入し、冷却して直接、食材を巻いたり包んだりすることで食材の鮮度を効果的に保つことができます。又図２シート（Ｃ）に凸凹の溝を設けることで、ご飯から出る蒸気や水分を逃がしたり、ご飯がくっつきにくくしたりする構造になっています。【０００８】  図３上部が開いている筒型容器（Ｎ）の中に、ご飯（Ｏ）を詰めた図８筒型容器（Ｎ）、又は図４上部面と片側の側面が開いている筒型容器（Ｕ）の中に、図９ご飯（Ｏ）を詰めて（Ｔ）と合わせて、図９筒型容器（Ｖ）に成形した何れか一つの筒型容器を図１０シート（Ｃ）上にのせて、前記シート（Ｃ）に設けた凸凹のプラスチックホック又は磁石ボタン（ｆ１）（ｆ２）と、前記筒型容器（Ｎ）又は（Ｖ）に設けた（ｇ１）（ｇ２）を図１１のように留めて、図１２のように巻きながら図１３筒型にして、両側にある（Ｄ）（Ｅ）（Ｆ）（Ｇ）袖面を、（ａ１）折り目線で折り曲げ（ｂ１）（Ｃ１）凸凹のプラスチックホック又は磁石ボタンを留め、反対側も同様に（Ｈ）（Ｉ）（Ｊ）（Ｋ）の袖面を、（ａ３）折り目線で折り曲げ（ｂ２）（Ｃ２）凸凹のプラスチックホック又は磁石ボタンを留めて、図１４（Ｑ）筒型ボックスに閉じることで、ランチケースとして使用します。【０００９】  図１４（Ｑ）筒型ボックスを広げて、図１５海苔シート（Ｍ）の上に、図１６筒型容器（Ｎ）ｏｒ（Ｖ）に詰めた筒型のご飯（Ｏ）をのせて、図１７海苔シート（Ｍ）とご飯（Ｏ）をシート（Ｌ）で一緒に巻き込み、図１８の円柱型（Ｐ）にします。【００１０】  図１８の円柱型（Ｐ）を広げた図１９手巻きおにぎりに（Ｒ）に、図２０（Ｌ）シートを巻くことで、ご飯がこぼれ落ちることや、直接、素手で持つことを防ぐ役割があります。【００１１】  上記の説明では、食品シートとして海苔シートを例に挙げたが、本発明において「食品シート」は、とろろ昆布やライスシートやパンなど、ご飯や食材を巻いたり包んだりすることができるあらゆる食材の種類、形態のものを含む概念である。【００１２】  上記の説明では、ご飯と海苔（食品シート）との間に、シートを介在させているが、必ずしも前記シートを介在させる必要はない。【００１３】  上記の説明では、保冷用材をシート（Ｃ）に封入したと例に挙げたが、本発明において、保冷用材をシート全体に封入したもの、又は、保冷用材をシートに封入しない形態のものを含む概念である。【００１４】  上記の説明では、図１シートの形を記載して例に挙げたが、本発明において、大きさや形などが異なっている形態のものを含む概念である。【００１５】  上記の説明では、丸めたり、折り曲げたり、繰り返し洗って使用することが可能なシリコン又はゴム製品シートと例に挙げたが、本発明において紙など、ご飯や食材を巻いたり包んだりすることができるあらゆる種類、形態したものを含む概念である。【００１６】  上記の説明では、上部が開いている筒型容器は��シートから取り外しするが可能と例に挙げたが、本発明において前記筒型容器と前記シートが一体となっている形態のものを含む概念である。【００１７】  上記の説明では、上部が開いている筒型容器を例に挙げたが、本発明において、様々容器のサイズや形状、形態のものを含む概念である。【００１８】  上記の説明では、上部が開いている筒型容器を使用すると例に挙げたが、本発明においてシートに前記筒型容器を設けないで、図２１前記シートの上に直接、前記ご飯（Ｏ）又は、食材をのせて巻いたり包んだりする形態のものを含む概念である。＊作業工程は図１〜図２０と同じように行います。【００１９】  上記の説明では、前記シート（Ａ）の一部分で、食品シート（Ｍ）全体を覆いかぶせると例に挙げたが、本発明において前記食品シートと前記ご飯との間に、シートなどを介在していれば、前記食品シート（Ｍ）全体を覆いかぶせていない図２２短いシート（Ｓ）の様な形態を含む概念である。
＊作業工程は図１〜図２０と同じように行います。
【図面の簡単な説明】
【００２０】
【図１】本発明の実施形態にかかり、本発明専用に使用するためにＡ〜Ｋ面を設けて加工したシートを示す図であり、ａ１〜ａ３の線はシートを折り曲げる目安にしている線で、ｄ１は蒸気又は水分などを逃がすための穴を（Ｅ・Ｆ・Ｇ・Ｉ・Ｊ・Ｋ）の面に開けて、（ｂ１・ｂ２）（Ｃ１・Ｃ２）は、袖面を折り曲げて留めるために凸凹のプラスチックホック又は磁石ボタンを設け、（ｆ１・ｆ２）は、筒型容器（Ｎ）又は（Ｖ）を留めるために設けた凸凹のプラスチックホック又は磁石ボタンの様子を説明する図である。
【００２１】
【図２】本発明の実施形態にかかり、図１加工したシートを横から見た図を示したもので、シート（Ｃ）の間に保冷用材（ｅ１）を封入して、凸凹の溝を設けた様子を説明する図である。
【００２２】
【図３】本発明の実施形態にかかり、ご飯又は食材を詰める目的の、上部が開いている筒型容器を説明する図である。
【００２３】
【図４】本発明の実施形態にかかり、ご飯又は食材を詰める目的の上部と片側の側面が開いている（ｇ１）（ｇ２）凸凹のプラスチックホック又は磁石ボタンを設けた容器（Ｔ）と、上部と片側の側面が開いている容器（Ｕ）を合わせて１つの上部が開いている筒型容器（Ｖ）に成形した様子を説明する図である。
【００２４】
【図５】本発明の実施形態にかかり、カットしたシート（Ｌ）を、シート（Ｂ）の上に置いた様子を説明する図である。
【００２５】
【図６】本発明の実施形態にかかり，図５シート（Ｌ）の上に食品シート（Ｍ）を、置いた様子を説明する図である。
【００２６】
【図７】本発明の実施形態にかかり、図６シート（Ａ）面を（ａ２）の折り目で折り曲げ、食品シート（Ｍ）に覆いかぶせた様子を説明する図である。
【００２７】
【図８】本発明の実施形態にかかり、上部が開いている筒型容器（Ｎ）の中に、ご飯（Ｏ）を詰めた様子を説明する図である。
【００２８】
【図９】本発明の実施形態にかかり、上部と片側の側面が開いている容器（Ｕ）にご飯（Ｏ）を詰めて、上部と片側の側面が開いている（ｇ１）（ｇ２）凸凹のプラスチックホック又は磁石ボタンを設けた容器（Ｔ）と合わせて、１つの上部が開いている筒型容器（Ｖ）に成形した様子を説明する図である。
【００２９】
【図１０】本発明の実施形態にかかり、シート（Ｃ）の上に、ご飯（Ｏ）を詰めた上部が開いている筒型容器（Ｎ）又は（Ｖ）をのせた様子を説明する図である。
【００３０】
【図１１】本発明の実施形態にかかり、シート（Ｃ）面に設けた（ｆ１・ｆ２）と、上部が開いている筒型容器（Ｎ）又は（Ｖ）に設けた（ｇ１・ｇ２）の、凸凹のプラスチックホック又は磁石ボタンで留めた様子を説明する図である。
【００３１】
【図１２】本発明の実施形態にかかり、シート（Ｃ）面にのせた上部が開いている筒型容器（Ｎ）又は（Ｖ）を巻いている様子を説明する図である。
【００３２】
【図１３】本発明の実施形態にかかり、図１２上部が開いている筒型容器（Ｎ）又は（Ｖ）を巻き込んで、筒型にした様子を説明する図である。
【００３３】
【図１４】本発明の実施形態にかかり、図１３（Ｅ）（Ｇ）の袖面を（ａ１）折り目線で折り曲げ、その上に（Ｆ）（Ｄ）の袖面を（ａ１）折り目線で折り曲げて、凸凹のプラスチックホック又は磁石ボタン（ｂ１）（Ｃ１）で留め、反対側も同様に（ａ３）折り目線で（Ｉ）（Ｋ）の面を折り曲げ、その上に（ａ３）折り目線で（Ｊ）（Ｈ）の面を折り曲げて、凸凹のプラスチックホック又は、磁石ボタン（ｂ２）（Ｃ２）を留めて、筒型（Ｑ）のランチケースにした様子を説明する図である。
【００３４】
【図１５】本発明の実施形態にかかり、図１４筒型（Ｑ）ランチケースを開き、食品シート（Ｍ）に覆いかぶせているシート（Ａ）面を広げて、食品シート（Ｍ）を出した様子を説明する図である
【００３５】
【図１６】本発明の実施形態にかかり、図１５食品シート（Ｍ）の上に、上部が開いている筒型容器（Ｎ）又（Ｖ）の中に詰めた筒型のご飯（Ｏ）をのせている様子を説明する図である。
【００３６】
【図１７】本発明の実施形態にかかり、筒型のご飯（Ｏ）と食品シート（Ｍ）を、シート（Ｌ）で一緒に巻いたり包んだりしている様子を説明する図である。
【００３７】
【図１８】本発明の実施形態にかかり、筒型ご飯（Ｏ）と食品シート（Ｍ）を、シート（Ｌ）で一緒に巻いて筒型（Ｐ）に成形した様子を説明する図である。
【００３８】
【図１９】本発明の実施形態にかかり、図１８筒型（Ｐ）に巻いてあるシート（Ｌ）を広げて、ご飯（Ｏ）と食品シート（Ｍ）を一緒に巻いた手巻きおにぎり（Ｒ）にした様子を説明する図である。
【００３９】
【図２０】本発明の実施形態にかかり、手巻きおにぎり（Ｒ）をシート（Ｌ）で巻いている様子を説明する図である。
【００４０】
【図２１】本発明の実施形態にかかり、上部が開いている筒型容器（Ｎ）又は（Ｖ）を使わず、保冷用材（ｅ１）を封入した凸凹の溝など設けたシート（Ｃ）の上に、直接、ご飯（Ｏ）をのせた様子を説明する図である。
【００４１】
【図２２】本発明の実施形態にかかり、短いシート（Ｓ）を食品シート（Ｍ）が外部に出ないように（ａ２）で折り曲げ、ご飯（Ｏ）を詰めた上部が開いている筒型容器（Ｎ）又は（Ｖ）にシート（Ｃ）を覆いかぶせている様子を説明する図である。
【符号の説明】
【００４２】Ａ  シート面の一部分で、（ａ２）の折り目のところから折り曲げて、食品シート（Ｍ）を覆うことで、ご飯（Ｏ）との間にシートを介在させる役割りがあります。【００４３】Ｂ  シート面の一部分で、シート（Ｌ）や食品シート（Ｍ）をのせる場所。【００４４】Ｃ  上部が開いている筒型容器（Ｎ）又は（Ｖ）を脱着させる凸凹のプラスチックホック又は、磁石ボタン（ｆ１・ｆ２）やシートの間に保冷用材（ｅ１）を封入した凸凹の溝を設けてあります。又、ご飯（Ｏ）を詰めた上部だけが開いている筒型容器（Ｎ）又は（Ｖ）を覆うとことで、食品シート（Ｍ）との間にシート（Ｃ）介在させる役割りがあります。【００４５】Ｄ  （ｂ１）の凸凹のプラスチックホック又は、磁石ボタンを設けた袖面を、（ａ１）で折り曲げ上部が開いている筒型容器を包み、筒型ボックスに留める役割りがあります。【００４６】Ｅ  シートの袖面を（ａ１）で折り曲げて、上部が開いている筒型容器を包み込む役割りがあり、又、袖面にはご飯から出る蒸気又は水分を逃がすための、複数の小さな穴（ｄ１）が開けられています。【００４７】Ｆ  （Ｃ１）の凸凹のプラスチックホック又は、磁石ボタンを設けた袖面を（ａ１）で折り曲げて上部が開いている筒型容器を包み、筒型ボックスに留める役割りがあり、又、袖面にはご飯から出る蒸気又は水を逃がすための、複数の小さな穴（ｄ１）が開けられています。【００４８】Ｇ  シートの袖面を（ａ１）を折り曲げて、上部が開いている筒型容器を包み込む役割りがあり、又、袖面にはご飯出る蒸気又は水分を逃がすための、複数の小さな穴（ｄ１）が開けられています。【００４９】Ｈ  （ｂ２）の凸凹のプラスチックホック又は、磁石ボタンを設けた袖面を、（ａ３）で折り曲げて上部が開いている筒型容器を包み、筒型ボックスに留める役割りがあります。【００５０】Ｉ  シートの袖面を（ａ３）で折り曲げて上部が開いた筒型容器を包み、筒型ボックスに留める役割りがあり、又、袖面にはご飯から出る蒸気又は水分を逃がすための、複数の小さな穴（ｄ１）が開けられています。【００５１】Ｊ  （Ｃ２）の凸凹のプラスチックホック又は、磁石ボタンを設けた袖面を、（ａ３）で折り曲げて上部が開いた筒型容器を包み、筒型ボックスに留める役割りがあり、又、袖面にはご飯から出る蒸気又は水分を逃がすための、複数の小さな穴（ｄ１）が開けられています。【００５２】Ｋ  シートの袖面を（ａ３）で折り曲げて上部が開いた筒型容器を包み、筒型ボックスに留める役割りがあり、又、袖面にはご飯から出る蒸気又は水分を逃がすための、複数の小さな穴（ｄ１）が開けられています。【００５３】Ｌ  シート（Ｂ）面と同じ大きさに合わせてカットされたシートで、ご飯に食品シートを巻いて手巻きおにぎりに形成し、又、手持ちカバーとしても使用します。【００５４】Ｍ  食品シート。【００５５】Ｎ  ご飯又は食材を入れるための、上部が開いている筒型容器。【００５６】Ｏ  ご飯又は、筒型容器に詰めたご飯、又は、筒型に形成したご飯【００５７】Ｐ  ご飯（Ｏ）と食品シート（Ｍ）をシート（Ｌ）で巻いて筒型にしたもの。【００５８】Ｑ  シート全体で、食品シート（Ｍ）とご飯（Ｏ）を詰めた上部が開いている筒型容器を包み、凸凹��プラスチックホック又は磁石ボタンで留めて、筒型のランチケースにしたもの。【００５９】Ｒ  筒型ご飯（Ｏ）と食品シート（Ｍ）を合わせて、手巻きおにぎりにしたもの。【００６０】Ｓ  食品シート（Ｍ）が外部に出てしまうことや、他の物質との接触を防ぐために折り曲げる短いシート。【００６１】Ｔ  （ｇ１）（ｇ２）凸凹のプラスチックホック又は磁石ボタンを設けた上部と片側の側面が開いている筒型容器。【００６２】Ｕ  上部と片側の側面が開いている筒型容器。【００６３】Ｖ  ご飯又は食材を入れるために、（Ｔ）と（Ｕ）を合わせて成形した、上部が開いている筒型容器。【００６４】ａ１・ａ２・ａ３    シートを折り曲げる折り目線【００６５】ｂ１・ｂ２    凸凹のプラスチックホック又は、磁石ボタン【００６６】ｃ１・ｃ２    凸凹のプラスチックホック又は、磁石ボタン【００６７】ｄ１          蒸気を逃がすための開けた穴。袖面（Ｅ・Ｆ・Ｇ・Ｉ・Ｊ・Ｋ）に複数穴を設置【００６８】ｅ１          保冷用材【００６９】ｆ１・ｆ２    シートに設けた凸凹のプラスチックホック又は、磁石ボタン【００７０】ｇ１・ｇ２    筒型容器に設けた凸凹のプラスチックホック又は、磁石ボタン
【図１】
2020050438.tif 000003
【図２】
2020050438.tif 000004
【図３】
2020050438.tif 000005
【図４】
2020050438.tif 000006
【図５】
2020050438.tif 000007
【図６】
2020050438.tif 000008
【図７】
2020050438.tif 000009
【図８】
2020050438.tif 000010
【図９】
2020050438.tif 000011
【図１０】
2020050438.tif 000012
【図１１】
2020050438.tif 000013
【図１２】
2020050438.tif 000014
【図１３】
2020050438.tif 000015
【図１４】
2020050438.tif 000016
【図１５】
2020050438.tif 000017
【図１６】
2020050438.tif 000018
【図１７】
2020050438.tif 000019
【図１８】
2020050438.tif 000020
【図１９】
2020050438.tif 000021
【図２０】
2020050438.tif 000022
【図２１】
2020050438.tif 000023
【図２２】
2020050438.tif 000024
【手続補正書】
【提出日】平成30年10月25日(2018.10.25)
【手続補正１】
【補正対象書類名】特許請求の範囲
【補正対象項目名】請求項１
【補正方法】変更
【補正の内容】
【請求項１】
食材の間にシートを介在させて、食材同士が接触しないように隔離して、別々に収納する部分を有することを特徴としたランチケース。
【手続補正２】
【補正対象書類名】特許請求の範囲
【補正対象項目名】請求項４
【補正方法】変更
【補正の内容】
【請求項４】
筒型容器の中に前記食材を詰めて前記シートで包み込むことで、内部から前記食材の流出、又は外部からの異物混入を防ぐことを特徴とした請求項１〜３に記載のランチケース。
【手続補正４】
【補正対象書類名】明細書
【補正対象項目名】０００１
【補正方法】変更
【補正の内容】
【０００１】  シート、例えば丸めたり、折り曲げたり、繰り返し洗って使用することが可能なシリコン又はゴム製品に、保冷用剤を封入させたシートを成形し、冷却させた前記シートで直接、食材を巻いたり包んだりすることで、前記食材の衛生面及び安全性、又は機能性を向上させることができます。又食材、例えば、ご飯と海苔シートで手巻きおにぎりを形成する際に、前記ご飯と前記海苔シートとの間に前記シートを介在させて、食材同士が接触しないように隔離して、別々に収納する部分を有することで、乾燥した海苔シートを保つことができます。又、上部が開いている筒型容器に前記ご飯又は食材を詰めて、袖面を設けた前記シートで包み、筒型のランチケースにすることで、内部から前記食材の流出、又は外部からの異物混入を防ぐことができます。又、シートに凸凹の溝を設けて接地面を少なくすることで、ご飯が前記シートにくっつきにくくしたり、ご飯から出る蒸気や水分を逃がしたりする効果があります。
【手続補正５】
【補正対象書類名】明細書
【補正対象項目名】０００２
【補正方法】変更
【補正の内容】
【０００２】  例えば特開平０９−２６４６４８号公報に記載されているように、保管、輸送の際入れる保冷用材で折れ目があり、被保冷物を包む保冷シートを提供するもの、又は特開２００７−００１６５９号公報に記載されているように、空間内に保冷剤を封入した容器を提供するもの、又は実録３２１０９６７号公報に記載されているように多角断面に海苔とご飯をのせて、巻き寿司を成形後、そのまま、弁当箱として携帯可能な寿司成形器を提供するもの、又は特開２０１６−０５９３７３号公報に記載されているように、大部分は海苔と寿司めしを接着させないようにする巻き寿司作り型寿司作り型を提供するものです。
【手続補正６】
【補正対象書類名】明細書
【補正対象項目名】０００３
【補正方法】変更
【補正の内容】
【０００３】
【特許文献１】特開平０９−２６４６４８号公報
【特許文献２】特開２００７−００１６５９号公報
【特許文献３】登録３２１０９６７号公報
【特許文献４】特開２０１６−０５９３７３号公報
【手続補正７】
【補正対象書類名】明細書
【補正対象項目名】０００４
【補正方法】変更
【補正の内容】
【０００４】  しかし、上記特開平０９−２６４６４８号は、箱に入れて保管又は運ぶときに、折り目があることで、前記箱の大きさに左右されずに保冷シートを収納できることを提供しているもの、又、上記特開２００７−００１６５９号は、容器の空間内に保冷用材を組み入れる保冷式包装容器を提供しているもので、食材を保冷用材入りシートで直接、包み込むことはできないことから、本発明記載のランチケースとは異なります。又、上記登録３２１０９６７号は、多角形断面のシートの上に、海苔とご飯を直接のせて巻き寿司に成形し、そのまま保管又は弁当箱として、携帯可能な寿司成形器を提供するもので、最初から海苔とご飯を接触させて持ち運ぶことから、本発明記載のランチケースのとは異なります。又、上記特開２０１６−０５９３７３号は、海苔と寿司めしとの間に帯状の柔軟材を覆うことで、大部分は食材と接着しない巻き寿司作り型を提供するもので、最初から海苔と寿司めし（ご飯）を接触さて巻いていることや、両側面を包み込んでいないため、食材の流出、又は異物が混入する可能性があり、衛生面及び安全性、又は機能性の向上などの観点から、本発明記載のランチケースとは異なります。そこで、本発明が解決しようとすることは、第一に食材同士が接触しないように隔離して、別々に収納する部分を有するランチケースの提供、第二に冷却した保冷用材を封入したシートで、直接、前記食材を巻くランチケースの提供、第三に前記シートで包み込むことで、内部から前記食材の流出、又は外部からの異物混入を防ぐことができるランチケースの提供を合わせもつと良い。
【手続補正８】
【補正対象書類名】明細書
【補正対象項目名】０００５
【補正方法】変更
【補正の内容】
【０００５】  第一の目的を達成するために、前記シートを前記海苔シートと前記ご飯又は食材の間に介在させて、食材同士が接触しないように隔離して、別々に収納する部分を有することで、前記海苔シートが前記ご飯又は食材からでる水分、又は空気中の水蒸気が冷却した前記シートに触れてできる霜、又は水滴などの吸収を抑え、時間が経過しても乾燥した海苔シートの状態を保つことができます。
第二の目的を達成するために、冷却した保冷用剤を封入させたシートで、直接、ご飯又は食材を巻いたり包んだりすることで、時間が経過しても前記ご飯、又は食材の鮮度を効率的に保ち、腐食してしまうことを軽減することができます。
第三の目的を達成するために、前記上部が開いている筒型容器の中にご飯、又は食材を詰めて袖面を設けた前記シートで、筒型のランチケースに成形して包み込むことで、内部から前記食材の流出、又は外部からの異物混入を防ぐことができます。又、前記上部が開いている筒型容器に詰めたご飯又は食材の出し入れや、洗う作業を簡単に行えるように、前記シートから前記上部が開いている筒型容器が取り外しできると良い。
【手続補正９】
【補正対象書類名】明細書
【補正対象項目名】０００６
【補正方法】変更
【補正の内容】
【０００６】  図１本発明専用に使用するために加工したシートの上にカットしたシート（Ｌ）を図５のように置き、その（Ｌ）の上に、図６海苔シート（Ｍ）を置き、前記シート（Ａ）をａ２で折り曲げて、海苔シート（Ｍ）全体を覆いかぶせて図７のような食材同士が接触しないように隔離した形態にします。
【手続補正１０】
【補正対象書類名】明細書
【補正対象項目名】０００８
【補正方法】変更
【補正の内容】
【０００８】  図３上部が開いている筒型容器（Ｎ）の中に、ご飯（Ｏ）を詰めた図８筒型容器（Ｎ）、又は図４上部面と片側の側面が開いている筒型容器（Ｕ）の中に、図９ご飯（Ｏ）を詰めて（Ｔ）と合わせて、図９筒型容器（Ｖ）に成形した、何れか一つの筒型容器を図１０シート（Ｃ）上にのせて、前記シート（Ｃ）に設けた凸凹のプラスチックホック又は磁石ボタン（ｆ１）（ｆ２）と、前記上部が開いている筒型容器（Ｎ）又は（Ｖ）に設けた（ｇ１）（ｇ２）を図１１のように留めて、図１２のように巻きながら図１３筒型にして、両側にある（Ｄ）（Ｅ）（Ｆ）（Ｇ）袖面を、（ａ１）折り目線で折り曲げ（ｂ１）（ｃ１）凸凹のプラスチックホック又は磁石ボタンを留め、反対側も同様に（Ｈ）（Ｉ）（Ｊ）（Ｋ）の袖面を、（ａ３）折り目線で折り曲げ（ｂ２）（ｃ２）凸凹のプラスチックホック又は磁石ボタンを留めて、図１４（Ｑ）筒型に包み込むことで、内部から前記食材の流出、又は外部からの異物混入を防ぐことができるランチケースに成形します。
【手続補正１１】
【補正対象書類名】明細書
【補正対象項目名】００１９
【補正方法】変更
【補正の内容】
【００１９】  上記の説明では、前記シート（Ａ）の一部分で、食品シート（Ｍ）全体を覆いかぶせると例に挙げたが、本発明において、前記食品シートと前記ご飯との間にシートなどを介在させて、食材同士が接触しないように隔離することで、前記食品シート（Ｍ）全体を覆いかぶせていない図２２短いシート（Ｓ）の様な形態を含む概念である。＊作業工程は図１〜図２０と同じように行います。
【手続補正１２】
【補正対象書類名】明細書
【補正対象項目名】００４２
【補正方法】変更
【補正の内容】
【００４２】Ａ  シート面の一部分で、（ａ２）の折り目のところから折り曲げて、食品シート（Ｍ）を覆うことで、ご飯（Ｏ）との間にシートを介在させて、食材同士が接触しないように隔離する役割りがあります。
【手続補正１３】
【補正対象書類名】明細書
【補正対象項目名】００５８
【補正方法】変更
【補正の内容】
【００５８】Ｑ  袖面に設けたシート全体で、食品シート（Ｍ）とご飯（Ｏ）を上部が開いている筒型容器（Ｎ）又は（Ｖ）に詰めて、巻いたり包んだりして凸凹のプラスチックホック又は磁石ボタンを留めることで、内部から前記食材の流出、又は外部からの異物混入を防ぐことができる筒型のランチケースしたもの。